(57)【要約】【課題】風呂の試運転時の浴槽栓入れ忘れや、風呂アダプターや配管の不具合を試運転者気づかせ、試運転を適切に終了することができる給湯機を提供する。【解決手段】浴槽１４にお湯を自動で湯はりする風呂自動機能を持ち、その風呂湯はりの量を水量（Ｌ）で指示し、風呂アダプター３０で循環することが可能な最低水位湯量を最少湯量として初期設定する風呂試運転機能を持つ給湯機において、風呂試運転終了時に、お湯はり最少湯量を、遠隔操作用のリモコン２２に設けた表示部（図示せず）に表示するもので、風呂試運転に異常があって、風呂の水位（最低湯量）が正常でないときに、水位（最低湯量）がリモコン２２に表示されるので、試運転者に異常を確実に気づかせることができる。【選択図】図１
2009115365.tif 000002
【特許請求の範囲】
【請求項１】
浴槽にお湯を自動で湯はりする風呂自動機能を持ち、その風呂湯はりの量を水量（Ｌ）で指示し、風呂アダプターで循環することが可能な最低水位湯量を最少湯量として初期設定する風呂試運転機能を持つ給湯機において、風呂試運転終了時に、お湯はり最少湯量を、遠隔操作用のリモコンに設けた表示部に表示するようにしたことを特徴とする給湯機。
【請求項２】
最少湯量を表示したときに、その最少湯量に不具合を感じたときには、リモコンのキー操作でナビゲーション機能が働き、それに従って不具合点が確認出来ることを特徴とする請求項１に記載の給湯機。
【請求項３】
不具合を確認したあとに、再度風呂の試運転を行うことを、リモコンのキー選択で可能としたことを特徴とする請求項１、２記載の給湯機。
【請求項４】
不具合を確認したあとに、切られた電源が再度投入されたときに、再度風呂の試運転を行うことを特徴とする請求項１〜３のいずれか１項に記載の給湯機。
【発明の詳細な説明】
【技術分野】
【０００１】
本発明は、給湯機に関するもので、特に、風呂自動機能付きの給湯機に関するものである。
【背景技術】
【０００２】
従来のこの種の給湯機について、図５を用いて説明する。
【０００３】
図５は、従来の給湯機の構成を示すものである。図５において、給湯経路５０を介して浴槽４８下部に設けた給湯口４９へ給湯する給湯部４１と、前記給湯経路５０に設けられ浴槽４８内の水位を検出する水位検出部４２と、運転の選択及び所望の湯張り水位を設定する操作部４３と、運転の状態及び設定水位値を表示する表示部４６と、前記給湯部４１で給湯される給湯量を検出する給湯量検出部４４と、前記水位検出部４２により検出される現在水位から前記操作部４３で設定される設定水位まで湯張りするのに必要な給湯量を演算し前記給湯部４１を制御する制御部４５と、前記操作部４３とは別に設けた設定水位変更部４７を備え、通常は、前記操作部４３で決定される設定水位に基づき動作し、前記操作部４３にて所定の操作を行った場合は、前記設定水位変更部４７で決定される設定水位に基づき動作するようにしている（例えば、特許文献１参照）。
【特許文献１】特開２００２−４８３９４号公報
【発明の開示】
【発明が解決しようとする課題】
【０００４】
しかしながら、上記従来の給湯機の構成では、風呂の試運転中に風呂の栓を忘れていて、しばらくしてから栓をしたときや、工事の不具合で風呂アダプタや風呂配管が正常に工事されていなくても、風呂試運転が終了したら、風呂試運転は、正常に終了したと給湯機は判断し、試運転が終了してしまうという課題があった。
【０００５】
本発明は、前記従来の課題を解決するもので、風呂の試運転が正常に行われたかどうか試運転者が容易に確認できる給湯機を提供することを目的とする。
【課題を解決するための手段】
【０００６】
前記従来の課題を解決するために、本発明の給湯機は、浴槽にお湯を自動で湯はりする風呂自動機能を持ち、その風呂湯はりの量を水量（Ｌ）で指示し、風呂アダプターで循環することが可能な最低水位湯量を最少湯量として初期設定する風呂試運転機能を持つ給湯機において、風呂試運転終了時に、お湯はり最少湯量を、遠隔操作用のリモコンに設けた表示部に表示するもので、風呂試運転に異常があって、風呂の水位（最低湯量）が正常でないときに、水位（最低湯量）がリモコンに表示されるので、試運転者に異常を気づかせることができる。
【発明の効果】
【０００７】
本発明の給湯機は、風呂試運転で風呂の水位（最低湯量）が適正にならなかった場合でも、最低湯量がリモコンに表示されるので、試運転者に異常を確実に気づかせることができる。
【発明を実施するための最良の形態】
【０００８】
第１の発明は、浴槽にお湯を自動で湯はりする風呂自動機能を持ち、その風呂湯はりの量を水量（Ｌ）で指示し、風呂アダプターで循環することが可能な最低水位湯量を最少湯量として初期設定する風呂試運転機能を持つ給湯機において、風呂試運転終了時に、お湯
はり最少湯量を、遠隔操作用のリモコンに設けた表示部に表示するもので、風呂試運転に異常があって、風呂の水位（最低湯量）が正常でないときに、水位（最低湯量）がリモコンに表示されるので、試運転者に異常を気づかせることができる。
【０００９】
第２の発明は、特に、第１の発明の最少湯量を表示したときに、その最少湯量に不具合を感じたときには、リモコンのキー操作でナビゲーション機能が働き、それに従って不具合点が確認出来るもので、不具合点を容易に確認することが出来る。
【００１０】
第３の発明は、特に、第１または第２の発明の給湯機において、不具合を確認したあとに、再度風呂の試運転を行うことを、リモコンのキー選択で可能としたもので、風呂試運転が適切に行われなかった原因を修正後、速やかに風呂の試運転を再開することが可能となり、利便性の向上を図ることができる。
【００１１】
第４の発明は、特に、第１〜第３のいずれか一つの発明の給湯機において、不具合を確認したあとに、切られた電源が再度投入されたときに、再度風呂の試運転を行うもので、確認を行うため給湯機の電源を切って確認後再度電源を投入すると、風呂試運転が自動的に起動する構成になっておりさらに利便性を向上させることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における給湯機の構成図、図２は、同給湯機の風呂試運転時の表示例を示す図である。
【００１４】
図１において、実線矢印は湯水の流通方向を示し、点線矢印は通信を示している。貯湯タンク１には、ヒートポンプや電気ヒーターなどで加熱された湯が貯えられる。本実施の形態では、ヒートポンプ２によって加熱を行い、貯湯タンク１に湯を貯えているが、本実施の形態に限定されることがなく、電気ヒーターなどで貯湯タンク１内の湯を加熱してもよい。
【００１５】
本実施の形態において、ヒートポンプ２は、水冷媒熱交換器２４と、圧縮機２５と、蒸発器２６と、膨張弁２７とを冷媒配管２ａにより順次環状に接続して構成されており、冷媒には二酸化炭素を使用しているため、高圧側が臨界圧力を超えるので、水冷媒熱交換器２４を流通する水に熱を奪われて温度が低下しても凝縮することがなく、水冷媒熱交換器２４で冷媒と水との間で温度差を形成しやすくなり、高温の湯が得られ、かつ熱交換効率を高くすることができる。また、比較的安価でかつ安定な二酸化炭素を冷媒に使用しているので、製品コストを抑えるとともに、信頼性を向上させることができる。また、二酸化炭素は、オゾン破壊係数がゼロであり、地球温暖化係数も代替冷媒ＨＦＣ−４０７Ｃの約１７００分の１と非常に小さいため、地球環境に優しい製品を提供できる。
【００１６】
また、ヒートポンプ２において、圧縮機２５で冷媒が圧縮され、圧縮機２５から吐出された冷媒が、水冷媒熱交換器２４で放熱し、膨張弁２７で減圧されたあと、蒸発器２６で空気から熱を吸収し、ガス状態で再び圧縮機２５に吸入される。なお、圧縮機２５の能力制御および膨張弁２７の開度制御は、圧縮機２５の吐出側に設けたサーミスタ（図示せず）で検出される吐出冷媒の温度が予め設定された温度を維持するように制御される。また、貯湯タンク１内の湯水は、水ポンプ２８が作動することで、水冷媒熱交換器２４に流入し、冷媒と熱交換を行い、再び貯湯タンク１に戻り、積層状態で貯湯タンク１の上部に高温の湯が貯えられる。
【００１７】
一方、給湯端末７や浴槽１４への出湯に伴い、貯湯タンク１の上方部に配設された出湯管３から高温の湯が出湯され、電動式混合弁８（風呂給湯湯温制御手段）、電動式混合弁４（給湯端末湯温制御手段）にて水と適温に混合される。本実施の形態１においては、電動式混合弁８で混合された湯水は、浴槽１４へ、電動式混合弁４で混合された湯水は、給湯端末（蛇口）７へ供給される。本実施の形態においては、電動式混合弁を用いたが、ワックスサーモ混合弁を用いて出力温度を一定にした構成にしてもよい。
【００１８】
また、水冷媒熱交換器２４から貯湯タンク１に高温の湯として戻される戻り口２９は、出湯管３とは別に設けてあり、このように構成することで浴槽１４や浴槽１４以外の部位へ湯水を供給しながら、貯湯タンク１内の湯を沸き上げることができる。１つの熱源から給湯端末７や浴槽１４で同時にお湯を使うと湯切れが発生しやすくなるが、このように構成することで、複数の端末で湯水を供給してもなお、湯切れの心配がない。以下、それぞれの装置への出湯回路の構成について説明する。
【００１９】
浴槽１４と電動式混合弁８の間には、貯湯タンク１から供給される湯水の停止を行う二方向の電磁弁９（風呂回路遮断手段）と、汚水の逆流を防ぐ逆止手段１０と、浴槽１４へ供給される湯水の流量を検出する流量検出装置１２（風呂流量検出手段）と、浴槽１４へ供給される湯水の温度を検出するサーミスタ１１（風呂湯温検出手段）を設けており、サーミスタ１１の検出値に基づいて電動式混合弁８の制御を行う。
【００２０】
また、給湯端末（蛇口）７と電動式混合弁４の間には、貯湯タンク１から供給される湯水の流量を検出する流量検出装置６（給湯端末流量検出手段）と、給湯端末（蛇口）７へ供給される湯水の温度を検出するサーミスタ５（給湯端末湯温検出手段）を設けており、サーミスタ５の検出値に基づいて電動式混合弁４の制御を行う。
【００２１】
また、本実施の形態においては、各機能部品を制御する制御手段２３と、給湯機を遠隔操作するためのリモコン２２を有し、そのリモコン２２には、給湯機の動作状態などを表示する表示部（図示せず）が設けられている。
【００２２】
１５は、追いだき用に追いだき熱交換器１８を通して、浴槽１４内のお湯を循環させるための風呂循環ポンプで、１６は、循環するお湯の温度を検知するサーミスタ、１９は、追いだき出口湯の温度を検知するサーミスタ、２１は、貯湯タンク１のお湯を追いだき熱交換器１８を通して循環させる追いだきポンプで、２０は、追いだき熱交換器１８の出口湯の温度を検知するサーミスタである。
【００２３】
以下、浴槽１４への風呂試運転について説明する。
【００２４】
試運転者は、給湯機本体を設置後、電源を投入すると、台所もしくは浴室内に設置されたリモコン２２で、試運転のナビゲーションが起動される。このナビゲーションに従って浴槽１４への風呂自動湯張りの試運転ができる。
【００２５】
風呂試運転では、まず風呂に呼び水（５Ｌ）を注湯した後、風呂循環ポンプ１５を駆動し、フロースイッチ１３がオンしないことでまず浴槽１４に水がたまっていないことを確認する。その後、風呂に２０Ｌ注湯した後、フロースイッチ１３がオンするかどうかを繰り返し確認し、フロースイッチ１３がオンした後、再度２０Ｌを注湯し、このときの湯量を最少湯量（風呂アダプター３０が循環できる最少の湯量）として記憶し、その最少湯量のときの風呂水位検出手段１７の検出値を記憶しておく。そしてそこから６０Ｌ注湯し、そのときの風呂水位検出手段１７の検出値の上昇で、浴槽１４の湯量と水位の関係式を設定する。
【００２６】
本実施の形態では、例えば、フロースイッチ１３が８０Ｌでオンすると、それに２０Ｌ足した値、１００Ｌが最少湯量となる。そのときの風呂水位検出手段１７の値が２０とする。６０Ｌ足して１６０Ｌの風呂水位検出手段１７の値が３８だとすると１０Ｌ湯が増えると風呂水位検出手段１７の値が３上昇するので、水位でも湯量でも、浴槽１４に入っているお湯の量を設定の値で張ることができるようになる。
【００２７】
ただし、風呂試運転が始まってから、浴槽１４の栓入れを忘れていたときなどは、風呂アダプター３０から８０Ｌ分上方で風呂の試運転が終了しているため、風呂の最少湯量が１８０Ｌなどのように多くなってしまっても気づかないで風呂試運転が終了してしまい、使用者が浴槽１４に入れるお湯を少なくできないなどの問題が風呂自動運転で起こることがある。そのため、本実施の形態では、図２のように、風呂試運転の終了時に浴槽１４の最少湯量をリモコン２２の表示部に表示することで、試運転終了時に浴槽１４の最少湯量を確認することができる。
【００２８】
以上のように、風呂試運転終了時に最少湯量を表示することで適切に風呂試運転が終了したことがわかるようになり試運転の精度が向上する。
【００２９】
（実施の形態２）
図３は、本発明の第２の実施の形態における給湯機の風呂試運転時の表示例を示す図である。なお、本実施の形態における給湯機の構成は、上記実施の形態１と同じであるため、同一部分には同一符号を付してその説明を省略する。
【００３０】
本実施の形態は、図３に示すように、風呂試運転の終了時に最少湯量を表示し、ＯＫかＮＧを判断する機能を追加しており、ＮＧの場合は、「風呂の栓を途中で入れませんでしたか？」や、「風呂のアダプタ・配管を確認してください。」のように、適切に風呂試運転が終了しなかった原因をナビゲーションしながら確認できる構成としたもので、利便性が大幅に向上する。
【００３１】
また、図４に示すように、ナビゲーションで風呂試運転が適切に行われなかった原因が確認できると、再度風呂試運転が自動的に行える構成にすれば、一層利便性が向上する。
【００３２】
また、不具合の確認を行うため給湯機の電源を切って確認後再度電源を投入すると、風呂試運転が起動する構成になっておりさらに利便性を向上することができる。
【００３３】
以上のように、本実施の形態における給湯機によれば、風呂試運転後に最少湯量を表示するとともに、さらに不具合点の確認をナビゲートし、風呂の再試運転を自動で行えるようにし、たとえ電源が切られたとしても、電源投入後に再度風呂の試運転ができる構成にすることで、的確な風呂試運転が可能となり、工事性の向上および利便性の向上、また使用者が実際に使用するときの不具合の発生を減らし、より適切な風呂自動運転を提供することができる。
【産業上の利用可能性】
【００３４】
以上のように、本発明に係る給湯機は、風呂試運転で風呂の水位（最低湯量）が適正にならなかった場合でも、最低湯量がリモコンに表示されるので、試運転者に異常を確実に気づかせることができるもので、ヒートポンプ式の貯湯式温水器に限らず、電気、ガス、石油、燃料電池などいずれの方式においても、給湯機に利用することができる。
【図面の簡単な説明】
【００３５】
【図１】本発明の実施の形態１における給湯機の構成図
【図２】同給湯機の風呂試運転時の表示例を示す図
【図３】本発明の実施の形態２における給湯機の風呂試運転時の表示例を示す図
【図４】同給湯機の風呂試運転時の他の表示例を示す図
【図５】従来の給湯機の構成を示す図
【符号の説明】
【００３６】
１  貯湯タンク
２  ヒートポンプ
３  出湯管
４  電動式混合弁（給湯温度調整手段）
５  サーミスタ（給湯湯温検出手段）
６  流量検出装置（給湯端末流量検出手段）
７  給湯端末（蛇口）
８  電動式混合弁（風呂給湯温度調整手段）
９  風呂注湯手段（電磁弁）
１０  逆止手段
１１  サーミスタ（風呂注湯湯温検出手段）
１２  流量検出装置（風呂注湯流量検出手段）
１３  フロースイッチ
１４  浴槽
１５  風呂循環ポンプ
１６、１９、２０  サーミスタ（風呂湯温検出手段）
１７  風呂水位検出手段
１８  追いだき熱交換器
２１  追いだきポンプ
２２  リモコン
２３  制御手段
２４  水冷媒熱交換器
２５  圧縮機
２６  蒸発器
２７  膨張弁
２８  水ポンプ
２９  戻り口
３０  風呂アダプター
【図１】
2009115365.tif 000003
【図２】
2009115365.tif 000004
【図３】
2009115365.tif 000005
【図４】
2009115365.tif 000006
【図５】
2009115365.tif 000007